(57)【特許請求の範囲】
【請求項１】
無線基地局装置と通信する無線端末装置であって、
前記無線基地局装置から受信する呼び出しエリアの情報を検出する呼び出しエリア検出手段と、
前記呼び出しエリアの情報を複数保持することが可能な呼び出しエリア情報保持手段と、
前記呼び出しエリア検出手段によって検出した前記呼び出しエリアの情報が、それまでの呼び出しエリアの情報から変化したとき、新たに検出された呼び出しエリアの情報が前記呼び出しエリア情報保持手段に保持されているか否かを照合する照合手段と、
前記照合手段により呼び出しエリアの情報が保持されていないと判断されたとき、その呼び出しエリアの情報を前記呼び出しエリア情報保持手段へ追加保持するとともに、前記追加保持された呼び出しエリアの情報を前記無線基地局装置を介して無線基地局制御装置に対して追加保持することを要求する追加手段と、
前記呼び出しエリア情報保持手段により複数の呼び出しエリアの情報が保持されたとき起動され、所定時間経過後に現時点の呼び出しエリアの情報を除いて前記呼び出しエリア情報保持手段の情報を削除する第一の削除手段と、
前記追加手段または前記第一の削除手段によって前記呼び出しエリア情報保持手段の呼び出しエリア情報を変更したとき、前記無線基地局制御装置が保持する呼び出しエリアの情報を変更することを前記無線基地局制御装置に要求する変更要求手段と
を有することを特徴とする無線端末装置。
【請求項２】
無線基地局装置と通信する無線端末装置であって、
前記無線基地局装置から受信する呼び出しエリアの情報を検出する呼び出しエリア検出手段と、
前記呼び出しエリアの情報を複数保持することが可能な呼び出しエリア情報保持手段と、
前記呼び出しエリア検出手段によって検出した前記呼び出しエリアの情報が、それまでの呼び出しエリアの情報から変化したとき、新たに検出された呼び出しエリアの情報が前記呼び出しエリア情報保持手段に保持されているか否かを照合する照合手段と、
前記照合手段により呼び出しエリアの情報が保持されていないと判断されたとき、その呼び出しエリアの情報を前記呼び出しエリア情報保持手段へ追加保持するとともに、前記追加保持された呼び出しエリアの情報を前記無線基地局装置を介して無線基地局制御装置に対して追加保持することを要求する追加手段と、
前記呼び出しエリア検出手段および前記照合手段によって呼び出しエリアの変化を検出したときの呼び出しエリア情報の変更履歴情報を保持する変更履歴情報保持手段と、
前記呼び出しエリア情報保持手段により複数の呼び出しエリアの情報が保持されたとき起動され、前記変更履歴情報を参照して同一の呼び出しエリアに長時間滞在していることが検出されたとき、現時点の呼び出しエリアの情報を除いて前記呼び出しエリア情報保持手段の情報を削除する契機を決定し現時点の呼び出しエリアの情報を除いて前記呼び出しエリア情報保持手段の情報を削除する第二の削除手段と、
前記追加手段または前記第二の削除手段によって前記呼び出しエリア情報保持手段の呼び出しエリア情報を変更したとき、前記無線基地局制御装置が保持する呼び出しエリアの情報を変更することを前記無線基地局制御装置に要求する変更要求手段と
を有することを特徴とする無線端末装置。
【請求項３】
無線基地局装置と通信する無線端末装置で使用されるプログラムであって、
前記無線基地局装置から受信する呼び出しエリアの情報を検出する呼び出しエリア検出機能と、
前記呼び出しエリア検出機能によって検出した前記呼び出しエリアの情報を複数保持させることが可能で、前記検出した呼び出しエリアの情報が、それまでの呼び出しエリアの情報から変化したとき、新たに検出された呼び出しエリアの情報が既に保持されているか否かを照合する照合機能と、
前記照合機能により呼び出しエリアの情報が保持されていないと判断されたとき、その呼び出しエリアの情報を前記呼び出しエリア情報保持手段へ追加保持させるとともに、前記追加保持された呼び出しエリアの情報を前記無線基地局装置を介して無線基地局制御装置に対して追加保持することを要求するさせる追加機能と、
前記追加機能により複数の呼び出しエリアの情報が保持されたとき起動され、所定時間経過後に現時点の呼び出しエリアの情報を除いて前記呼び出しエリア情報保持機能の情報を削除する削除機能と、
前記追加機能または前記削除機能によって呼び出しエリアの情報の保持状態を変更したとき、前記無線基地局制御装置が保持する呼び出しエリアの情報を変更することを前記無線基地局制御装置に要求する変更要求機能と
を有することを特徴とする無線端末装置用プログラム。
【請求項４】
無線基地局装置と通信する無線端末装置で使用されるプログラムであって、
前記無線基地局装置から受信する呼び出しエリアの情報を検出する呼び出しエリア検出機能と、
前記呼び出しエリア検出機能によって検出した前記呼び出しエリアの情報を複数保持させることが可能で、前記検出した呼び出しエリアの情報が、それまでの呼び出しエリアの情報から変化したとき、新たに検出された呼び出しエリアの情報が既に保持されているか否かを照合する照合機能と、
前記照合機能により呼び出しエリアの情報が保持されていないと判断されたとき、その呼び出しエリアの情報を前記呼び出しエリア情報保持手段へ追加保持させるとともに、前記追加保持された呼び出しエリアの情報を前記無線基地局装置を介して無線基地局制御装置に対して追加保持することを要求するさせる追加機能と、
前記呼び出しエリア検出機能によって呼び出しエリアを検出した呼び出しエリアの情報の変更履歴情報を前記無線端末装置が有する変更履歴情報保持手段に保持させる保持機能と、
前記追加機能により複数の呼び出しエリアの情報が保持されたとき起動され、前記変更履歴情報を参照して同一の呼び出しエリアに長時間滞在していることが検出されたとき、現時点の呼び出しエリアの情報を除いて前記呼び出しエリア情報保持機能の情報を削除する削除機能と、
前記追加機能または前記削除機能によって呼び出しエリアの情報の保持状態を変更したとき、前記無線基地局制御装置が保持する呼び出しエリアの情報を変更することを前記無線基地局制御装置に要求する変更要求機能と
を有することを特徴とする無線端末装置用プログラム。
【請求項５】
無線端末装置と情報の授受を行う無線基地局装置を有する無線通信システムに備えられ、前記無線基地局装置を制御する無線基地局制御装置であって、
前記無線端末装置から送られてくる呼び出しエリアに関する情報を受信する受信手段と、
前記受信手段によって受信された情報に含まれる呼び出しエリアの情報を、前記無線端末装置と対応付けて複数保持することが可能な保持手段と、
前記受信手段によって受信された情報に、呼び出しエリアの情報を変更する要求の情報が含まれている場合に、前記保持手段の保持情報を変更する変更手段と、
前記保持手段に保持されている呼び出しエリアの情報に基づいて前記無線基地局装置に対して無線端末装置の呼び出しの指示を行う指示手段と
を有することを特徴とする無線基地局制御装置。
【発明の詳細な説明】
【技術分野】
【０００１】
本発明は、無線基地局制御装置が無線基地局装置を介して無線端末装置を呼び出す際に、無線端末装置を呼び出すエリアを特定するために、該無線端末装置の呼び出しエリアの情報を該無線基地局制御装置へ通知を行う無線端末装置、無線端末装置用プログラム、および無線端末装置から呼び出しエリア情報が通知される無線基地局制御装置に関する。
【背景技術】
【０００２】
無線通信システムには、無線基地局制御装置が制御する複数の無線基地局装置が備えられ、その個々の無線基地局装置と無線端末装置が通信を行う。一つの無線基地局装置と無線端末装置が通信できる空間的範囲は無線ゾーンと呼ばれている。ある無線端末装置を呼び出す際は、その無線端末装置が位置する無線ゾーンに対応する無線基地局装置だけでなく、複数の無線基地局装置に対応する無線ゾーンで呼び出しを行う。この呼び出しが行われる複数の無線ゾーンを一括して呼び出しエリアという。
【０００３】
この呼び出しエリア外に無線端末装置が移動すると、無線端末装置は、新たに通信する無線基地局装置が属する呼び出しエリアに自らの無線端末装置が存在することを、無線基地局装置を経由して呼び出しエリアを管理する無線基地局制御装置に通知して登録する。
【０００４】
この呼び出しエリアの境界付近で無線端末装置が移動すると、この無線端末装置の呼び出しエリアは頻繁に変化するため、その度に呼び出しエリアを無線基地局制御装置へ登録する（以下、「位置登録」と表記する）。そのため、無線基地局制御装置と無線基地局装置とを接続しているネットワークや無線基地局制御装置に対する多大な負荷を与えてしまうという問題があった。
【０００５】
上記の問題を解決するために、位置登録を、無線端末装置が通信する無線基地局装置に対応する呼び出しエリアだけでなく、呼び出しエリアをまたぐ通信可能な複数の無線基地局装置に対応する呼び出しエリアも無線基地局制御装置に登録しておくことで、位置登録の頻度を減少させる技術が知られている（特許文献１）。
【特許文献１】特開平５−１２２１３６号公報
【発明の開示】
【発明が解決しようとする課題】
【０００６】
しかしながら、上記の従来技術では、無線基地局制御装置が保持する複数の呼び出しエリアに登録した後に呼び出しエリアの境界付近ではない場所に無線端末装置が移動した場合、必要のない呼び出しエリアにも位置登録されており、必要のない無線基地局装置に対して呼び出しの指示を行うため、新たにネットワークの負荷が発生するという問題がある。
【０００７】
本発明は、上記問題点を解決するためになされたもので、ネットワークや無線基地局制御装置に対する負荷を軽減できる無線端末装置、無線端末装置用プログラム、および無線基地局制御装置を提供することを目的とする。
【課題を解決するための手段】
【０００８】
上記目的を達成するために、本発明による無線端末装置は、  無線基地局装置と通信する無線端末装置であって、前記無線基地局装置から受信する呼び出しエリアの情報を検出する呼び出しエリア検出手段と、前記呼び出しエリアの情報を複数保持することが可能な呼び出しエリア情報保持手段と、前記呼び出しエリア検出手段によって検出した前記呼び出しエリアの情報が、それまでの呼び出しエリアの情報から変化したとき、新たに検出された呼び出しエリアの情報が前記呼び出しエリア情報保持手段に保持されているか否かを照合する照合手段と、前記照合手段により呼び出しエリアの情報が保持されていないと判断されたとき、その呼び出しエリアの情報を前記呼び出しエリア情報保持手段へ追加保持するとともに、前記追加保持された呼び出しエリアの情報を前記無線基地局装置を介して無線基地局制御装置に対して追加保持することを要求する追加手段と、前記呼び出しエリア情報保持手段により複数の呼び出しエリアの情報が保持されたとき起動され、所定時間経過後に現時点の呼び出しエリアの情報を除いて前記呼び出しエリア情報保持手段の情報を削除する第一の削除手段と、前記追加手段または前記第一の削除手段によって前記呼び出しエリア情報保持手段の呼び出しエリア情報を変更したとき、前記無線基地局制御装置が保持する呼び出しエリアの情報を変更することを前記無線基地局制御装置に要求する変更要求手段とを有することを特徴としている。
【０００９】
また、本発明による無線端末装置用プログラムは、  無線基地局装置と通信する無線端末装置で使用されるプログラムであって、前記無線基地局装置から受信する呼び出しエリアの情報を検出する呼び出しエリア検出機能と、前記呼び出しエリア検出機能によって検出した前記呼び出しエリアの情報を複数保持させることが可能で、前記検出した呼び出しエリアの情報が、それまでの呼び出しエリアの情報から変化したとき、新たに検出された呼び出しエリアの情報が既に保持されているか否かを照合する照合機能と、前記照合機能により呼び出しエリアの情報が保持されていないと判断されたとき、その呼び出しエリアの情報を前記呼び出しエリア情報保持手段へ追加保持させるとともに、前記追加保持された呼び出しエリアの情報を前記無線基地局装置を介して無線基地局制御装置に対して追加保持することを要求する追加機能と、前記追加機能により複数の呼び出しエリアの情報が保持されたとき起動され、所定時間経過後に現時点の呼び出しエリアの情報を除いて前記呼び出しエリア情報保持機能の情報を削除する削除機能と、前記追加機能または前記削除機能によって呼び出しエリアの情報の保持状態を変更したとき、前記無線基地局制御装置が保持する呼び出しエリアの情報を変更することを前記無線基地局制御装置に要求する変更要求機能とを有することを有することを特徴としている。
【００１０】
また、本発明による無線基地局制御装置は、無線端末装置と情報の授受を行う無線基地局装置を有する無線通信システムに備えられ、前記無線基地局装置を制御する無線基地局制御装置であって、前記無線端末装置から送られてくる呼び出しエリアに関する情報を受信する受信手段と、前記受信手段によって受信された情報に含まれる呼び出しエリアの情報を、前記無線端末装置と対応付けて複数保持することが可能な保持手段と、前記受信手段によって受信された情報に、呼び出しエリアの情報を変更する要求の情報が含まれている場合に、前記保持手段の保持情報を変更する変更手段と、前記保持手段に保持されている呼び出しエリアの情報に基づいて前記無線基地局装置に対して無線端末装置の呼び出しの指示を行う指示手段とを有することを特徴としている。
【発明の効果】
【００１１】
本発明によれば、ネットワークや無線基地局制御装置に対する負荷を軽減することができる、無線端末装置、無線端末装置用プログラム、および無線基地局制御装置を提供できる。
【発明を実施するための最良の形態】
【００１２】
以下、本発明の実施例を図面を参照して説明する。
【実施例１】
【００１３】
図１は、この発明に関わる無線端末装置が通信を行う無線通信システムの一実施の形態を示す図である。このシステムは、無線端末装置ＰＳ１〜ＰＳ３が無線で通信を行うための無線基地局装置ＣＳ１１、ＣＳ１２、ＣＳ１３、ＣＳ２１、ＣＳ２２、ＣＳ２３が通信網２を介して無線基地局制御装置１に接続されて構成されている。
【００１４】
無線端末装置ＰＳが着信するためには、無線基地局制御装置１が通信網２および無線基地局装置ＣＳを介して無線端末装置ＰＳへ着信呼を繋げる。無線基地局制御装置１がこの無線端末装置ＰＳを呼び出す際は、１つの無線基地局装置ＣＳに対してのみ呼び出すのではなく、複数の無線基地局装置ＣＳを１つの呼び出しエリアＰＡとして、無線基地局制御装置１はこの呼び出しエリアＰＡ毎に呼び出す。
【００１５】
図１では、無線基地局装置ＣＳ１１、ＣＳ１２、ＣＳ１３の無線ゾーンを呼び出しエリアＰＡ１とし、無線基地局装置ＣＳ２１、ＣＳ２２、ＣＳ２３の無線ゾーンを呼び出しエリアＰＡ２として示す。
【００１６】
図２は、本実施の形態に関わる無線端末装置の構成を表す機能ブロック図である。無線端末装置ＰＳはインターフェース部１０とＣＰＵ１１とメモリ１２とを有する。  
インターフェース部１０には、通信中の無線基地局装置ＣＳから送られてくる呼び出しエリア情報を検出する呼び出しエリア検出部１０ａ（呼び出しエリア検出手段）が備えられている。  
メモリ１２には、現在保持している呼び出しエリア情報１２ａ（呼び出しエリア情報保持手段）が保持されている。  
ＣＰＵ１１には、呼び出しエリア検出部１０ａが検出した呼び出しエリアＰＡをメモリ１２に保持されている呼び出しエリア情報１２ａと照合する照合部１１ａ（照合手段）と、呼び出しエリアの情報を呼び出しエリア情報１２ａに追加して保持させる追加部１１ｄ（追加手段）と、呼び出しエリアの変更を無線基地局制御装置１へ要求する呼び出しエリア変更要求部１１ｂ（変更要求手段）と、メモリ１２に保持されている呼び出しエリア情報１２ａが複数ある場合に呼び出しエリア情報を削除するタイミング（所定時間）を決定するタイマ１１ｃ（第一の削除手段）が備えられている。
【００１７】
無線端末装置ＰＳに備えられたメモリ１２の呼び出しエリア情報１２ａには複数の呼び出しエリアの情報が保持可能であり、その例を図３に示す。図３において（ａ）は、呼び出しエリア情報１２ａが２つ保持されている例である。（ｂ）および（ｃ）は、呼び出しエリア情報が１つ保持されている例である。
【００１８】
図４は、本実施の形態に関わる無線基地局制御装置の構成を表す機能ブロック図である。無線基地局制御装置１はインターフェース部１１０とＣＰＵ１１１とメモリ１１２とを有する。
【００１９】
インターフェース部１１０には、無線基地局装置ＣＳを介して無線端末装置ＰＳから送られてくる（要求される）呼び出しエリアに関する情報を受信する呼び出しエリア情報受信部１１０ａ（受信手段）が備えられている。  
メモリ１１２には、無線端末装置ＰＳと呼び出しエリアの情報とを対応付けて管理し保持する呼び出しエリア管理情報１１２ａが保持されている（保持手段）。  
ＣＰＵ１１１には、呼び出しエリア情報受信部１１０ａが受信した呼び出しエリアに関する情報に基づいてメモリ１１２に保持されている呼び出しエリア管理情報１１２ａを変更する呼び出しエリア管理情報変更部１１１ａ（変更手段）が備えられている。
【００２０】
無線基地局制御装置１に備えられたメモリ１１２の呼び出しエリア管理情報１１２ａには一つの呼び出しエリア情報に対して複数の無線端末装置ＰＳの情報を呼び出しエリア管理テーブルとして保持可能であり、その例を図５に示す。すなわち、図５の例では呼び出しエリアＰＡ１に対しては４つの無線端末装置ＰＳ１、ＰＳ２、ＰＳ３、ＰＳ４が保持されており、呼び出しエリアＰＡ２に対しては３つの呼び出しエリアＰＳ１、ＰＳ３、ＰＳ５が保持されている。
【００２１】
次に、図６を参照して呼び出しエリアＰＡ１に属する無線基地局装置ＣＳ１と無線端末装置ＰＳ１が通信している状態から、無線端末装置ＰＳが移動して呼び出しエリアＰＡ２に属する無線基地局装置ＣＳ２へ通信を変更して呼び出しエリアＰＡを無線基地局制御装置１に登録するシステム全体の流れを説明する。
【００２２】
まず、無線端末装置ＰＳ１が呼び出しエリアＰＡ１に属する無線基地局装置ＣＳ１と通信可能なエリアで電源を入れる（Ｓ１０１）と、無線端末装置ＰＳ１は無線基地局装置ＣＳ１から電波受信し（Ｓ１０２）、呼び出しエリアＰＡ１に位置していることを検出する。この検出した呼び出しエリア情報ＰＡ１を、図３（ｂ）に示すように呼び出しエリア情報１２ａに保持する。その後、無線端末装置ＰＳ１は呼び出しエリアＰＡ１に位置していることを無線基地局装置ＣＳ１を経由して無線基地局制御装置１に通知する（Ｓ１０３、Ｓ１０４）。通知を受信した無線基地局制御装置１は、自らが管理する呼び出しエリア管理テーブル（図５）の呼び出しエリアＰＡ１に無線端末装置ＰＳ１を登録する（Ｓ１０５）。
【００２３】
その後、無線端末装置ＰＳ１が呼び出しエリアＰＡ２に属する無線基地局装置ＣＳ２と通信可能なエリアに移動し、呼び出しエリアＰＡ２に位置することを検出すると、図３（ａ）に示すように呼び出しエリア情報１２ａに呼び出しエリアＰＡ２を追加して保持する（Ｓ１０６）。このとき、メモリ１２には２つの呼び出しエリア情報ＰＡ１とＰＡ２とが保持される。
【００２４】
無線端末装置ＰＳは、メモリ１２の呼び出しエリア情報１２ａの保持情報を変更すると、無線基地局制御装置１へ呼び出しエリア管理テーブル（図５）の情報を変更する要求を行う（Ｓ１０７、Ｓ１０８）。これは、無線端末装置ＰＳ１に対応する呼び出しエリア管理情報１１２ａを無線端末装置ＰＳ１の保持する呼び出しエリア情報１２ａと同じ情報を保持させるためである。
【００２５】
なお、変更要求とは、追加または削除させる呼び出しエリア情報を変更要求の情報に含めて、その呼び出しエリア情報を追加または削除させる形か、無線端末装置ＰＳ１が保持する呼び出しエリアの情報の全てを変更要求の情報に含めて、呼び出しエリア管理テーブルを更新させる形のどちらでもよい。
【００２６】
変更要求を受信した無線基地局制御装置１は、その変更要求に基づき自らが管理する呼び出しエリア管理テーブル（図５）を変更する。このとき、呼び出しエリア管理テーブルには、無線端末装置ＰＳ１の情報が呼び出しエリアＰＡ１とＰＡ２の両方に保持される（Ｓ１１０）。
【００２７】
また、無線端末装置ＰＳ１が無線基地局制御装置１へ変更要求を行うと、無線端末装置ＰＳ１は、呼び出しエリア情報１２ａに保持されている呼び出しエリアの情報を変更するタイミングを決定するタイマ１１ｃを起動させる（Ｓ１０９）。
【００２８】
その後、無線端末装置ＰＳ１が呼び出しエリアＰＡ１に移動すると（Ｓ１１１）、無線端末装置ＰＳ１は呼び出しエリアＰＡ１に位置していることを検出する。しかし、このとき無線端末装置ＰＳ１の呼び出しエリア情報１２ａに、呼び出しエリア情報ＰＡ１が既に保持されているので無線基地局制御装置１への位置登録を行わない。また、無線端末装置ＰＳ１が再び呼び出しエリアＰＡ２に移動すると（Ｓ１１２）、無線端末装置ＰＳ１は自らの呼び出しエリアＰＡ１が呼び出しエリアＰＡ２に変化していることを検出する。しかし、このとき無線端末装置ＰＳ１の呼び出しエリア情報１２ａに、呼び出しエリアＰＡ２が既に保持されているので無線基地局制御装置１への位置登録を行わない。
【００２９】
その後、無線端末装置ＰＳ１のタイマ１１ｃがタイムアウトすると（Ｓ１１３）、無線端末装置ＰＳ１は呼び出しエリア情報１２ａに保持している呼び出しエリアの情報を、現時点で位置する呼び出しエリアＰＡ２の情報を除いて、呼び出しエリアＰＡ１の情報を削除する（Ｓ１１４）。
【００３０】
無線端末装置ＰＳ１は呼び出しエリア情報１２ａの保持情報を変更したので、その後、無線端末装置ＰＳ１は無線基地局制御装置１へ呼び出しエリア管理テーブル（図５）の情報を変更する要求を行う（Ｓ１１５、Ｓ１１６）。この変更要求を受信した無線基地局装置１は、その変更要求に基づき自らが管理する呼び出しエリア管理テーブルを変更する。このとき、呼び出しエリア管理テーブルに保持される無線端末装置ＰＳ１の情報は呼び出しエリアＰＡ２にのみ保持される（Ｓ１１７）。
【００３１】
次に、図７を参照して無線端末装置ＰＳの処理の流れを説明する。まず、電源が入れられると（Ｆ１０１）、自らの無線端末装置ＰＳがどの呼び出しエリアＰＡに位置するか検出する（Ｆ１０２）。呼び出しエリアＰＡを検出すると、呼び出しエリア情報検出したか否かを判断する（Ｆ１０３）。検出した場合はメモリ１２に呼び出しエリア情報を保持する。その後、無線端末装置ＰＳ１は、無線基地局制御装置１へ位置登録を行う（Ｆ１０４）。手順Ｆ１０３において、呼び出しエリア情報を検出しなかった場合は、手順Ｆ１０２へ戻る。
【００３２】
手順Ｆ１０４において無線基地局制御装置１へ位置登録を行った後は、また呼び出しエリア情報の検出を行う（Ｆ１０５）。呼び出しエリアの情報が検出されると、呼び出しエリア情報が変化したか否かを判断する（Ｆ１０６）。変化した場合は、既に呼び出しエリア情報１２ａに保持している呼び出しエリアの情報を保持してさらに現在の呼び出しエリア情報を追加して保持する。その後、無線基地局制御装置１には現在の呼び出しエリア情報を変更することを要求する（Ｆ１０７）。手順Ｆ１０６で呼び出しエリアの情報に変化がなかった場合は、手順Ｆ１０５へ戻る。
【００３３】
手順Ｆ１０７で追加登録が終了すると、呼び出しエリア情報１２ａに保持されている呼び出しエリアの情報を変更するタイミングを決定するタイマを起動させる（Ｆ１０８）。
【００３４】
そして、自らの無線端末装置ＰＳ１がどの呼び出しエリアに位置するかを検出し（Ｆ１０９）、既にメモリ１２に保持している呼び出しエリアと同じか否かを判断する（Ｆ１１０）。異なる場合は、最も古く呼び出しエリア情報１２ａに保持されている呼び出しエリア情報を削除して、現時点の呼び出しエリア情報を追加して保持する。その後、無線基地局制御装置１には、呼び出しエリア管理テーブルを変更することを要求する（Ｆ１１１）。その後は手順Ｆ１０８へ戻る。
【００３５】
手順Ｆ１１０で、既に呼び出しエリア情報１２ａに保持している呼び出しエリアと同じ場合は、タイマ１１ｃがタイムアウトしたか否かを判断する（Ｆ１１２）。タイムアウトした場合は、自らの無線端末装置ＰＳの呼び出しエリア情報１２ａから現時点の呼び出しエリア情報を除いて他の呼び出しエリアの情報を削除する。その結果、呼び出しエリア情報１２ａには、現時点の呼び出しエリアの情報のみが保持される。その後、無線基地局制御装置１へ呼び出しエリア管理テーブルを変更することを要求する（Ｆ１１３）。その後は手順Ｆ１０５へ戻る。手順Ｆ１１２でタイムアウトしていない場合は、手順Ｆ１０９へ戻る。
【００３６】
以上のように、無線端末装置ＰＳが保持している呼び出しエリア情報が複数保持されたときタイマ１１ｃを起動させ、一定の所定時間経過後にタイムアウトしたときに、現時点の呼び出しエリアの情報を除いて他の呼び出しエリア情報を削除することによって、必要のない多数の呼び出しによるネットワークや無線基地局制御装置１に対する負荷を軽減することができる。
【実施例２】
【００３７】
実施例１では、無線端末装置ＰＳの呼び出しエリア情報１２ａに保持されている呼び出しエリアの情報が複数となったとき、タイマを用いて一定の所定時間経過後に呼び出しエリア情報１２ａの現時点の呼び出しエリアの情報を除いて他の呼び出しエリアの情報を削除するように構成した。
【００３８】
しかし、タイマの設定を一定時間に固定すると、呼び出しエリア情報１２ａの現時点の呼び出しエリアの情報を除いた他の呼び出しエリアの情報を削除すべきでない場合が生じる。すなわち、第一の実施例によれば２つの呼び出しエリアの境界付近に居て、頻繁に両呼び出しエリアを検出しているにも関わらずタイマがタイムアウトすることによって、他方の呼び出しエリアの情報が削除されてしまう。その後他方の呼び出しエリアに移動することにより再度追加する必要があるため、無線基地局制御装置１への変更要求が頻繁に発生する。そのため、実施例２では、呼び出しエリア情報を削除する適切なタイミングを無線端末装置ＰＳが自ら判断することができるようにした。
【００３９】
図８は、本実施の形態に関わる無線端末装置の構成を表す機能ブロック図である。無線端末装置ＰＳはインターフェース部１０とＣＰＵ１１とメモリ１２とを有する。  
インターフェース部１０の構成は図２と同様であるため説明を省略する。  
メモリ１２には、現在保持している呼び出しエリア情報１２ａ（呼び出しエリア情報保持手段）と、呼び出しエリアを検出した時刻を呼び出しエリア情報に対応付けた履歴である呼び出しエリア履歴情報１２ｂ（変更履歴情報保持手段）とが保持されている。  
ＣＰＵ１１には、呼び出しエリア検出部１０ａが検出した呼び出しエリアＰＡをメモリ１２に保持されている呼び出しエリア情報１２ａと照合する照合部１１ａ（照合手段）と、呼び出しエリアの情報を呼び出しエリア情報１２ａに追加して保持させる追加部１１ｄ（追加手段）と、呼び出しエリアの変更を無線基地局制御装置１へ要求する呼び出しエリア変更要求部１１ｂ（変更要求手段）と、呼び出しエリア情報１２ａに保持されている呼び出しエリアの情報が複数ある場合に、呼び出しエリアの情報を削除する契機を決定し、呼び出しエリア情報１２ａの現時点の呼び出しエリアの情報を除いた他の呼び出しエリアの情報を削除する削除部１１ｅ（第二の削除手段）とが備えられている。
【００４０】
図９は、呼び出しエリア情報１２ａに保持されている呼び出しエリア情報を現時点の呼び出しエリアの情報を除いた他の呼び出しエリアの情報を削除する契機を無線端末装置ＰＳが自ら学習して決定する処理の手順を示すフローチャートである。また、削除のタイミングを無線端末装置ＰＳが自ら学習して決定するために、無線端末装置ＰＳはメモリ１２に呼び出しエリア履歴情報１２ｂを保持する。この呼び出しエリア履歴情報１２ｂの一例を図１０に示す。この呼び出しエリア履歴情報１２ｂは、呼び出しエリアの情報を検出した時刻と検出した呼び出しエリアの情報とを対応付けて保持するものである。
【００４１】
次に、図９を参照して無線端末装置ＰＳの処理の手順を説明する。但し、手順Ｆ２０１からＦ２０７までは、実施例１で説明した図７の手順Ｆ１０１からＦ１０７までと同様であるため説明を省略する。
【００４２】
手順Ｆ２０８は呼び出しエリア情報１２ａに保持されている呼び出しエリア情報を現時点の呼び出しエリアの情報を除いた他の呼び出しエリアの情報を削除する契機を決定するために必要なカウンタを初期値ｎ＝０にする。次に位置情報を検出し（Ｆ２０９）、既に保持している呼び出しエリア情報１２ａと同じか否かを判断する（Ｆ２１０）。異なる場合は、最も古く呼び出しエリア情報１２ａに保持されている呼び出しエリア情報を削除し、現時点の呼び出しエリアＰＡを追加して保持する。その後、無線端末装置ＰＳは、無線基地局制御装置１に、呼び出しエリア管理テーブルを変更することを要求する（Ｆ２１１）。
【００４３】
手順Ｆ２１０において、既に保持している呼び出しエリア情報１２ａと同じ場合は、前回手順Ｆ２０５で検出した呼び出しエリア情報と同じか否かをメモリ１２が保持する呼び出しエリア履歴情報１２ｂ（図１０）を参照して判断する（Ｆ２１２）。呼び出しエリア情報が異なる場合は、カウンタにｎ＝０を代入してカウンタを初期化し、手順Ｆ２０９へ戻る。呼び出しエリア情報が同じ場合は、カウンタを１増やし（Ｆ２１３）、所定数Ｎ回以上同じ呼び出しエリア情報を検出しているか否かをメモリ１２が保持する呼び出しエリア履歴情報１２ｂを参照して判断する（Ｆ２１４）。所定数Ｎ回未満であれば、手順Ｆ２０９へ戻る。手順Ｆ２１４において、所定数Ｎ回以上であれば、同一の呼び出しエリアに長時間滞在していることが検出され、無線端末装置ＰＳは現時点の呼び出しエリア情報を除いて他の呼び出しエリア情報を削除する。その後、無線端末装置ＰＳは、無線基地局制御装置１に、呼び出しエリア管理テーブルを変更することを要求する（Ｆ２１５）。その後は、手順Ｆ２０５へ戻る。
【００４４】
このような処理を行うと、図１のシステム図において無線端末装置がＰＳ２の位置で呼び出しエリアＰＡ１と呼び出しエリアＰＡ２の境界付近を頻繁に行き来している間は、呼び出しエリア情報１２ａに保持している複数の呼び出しエリアの情報を削除するまでの時間を長くして頻繁に発生する位置登録を減少させることができる。また、無線端末装置がＰＳ１またはＰＳ３の位置などの呼び出しエリアの境界付近ではない位置に移動した場合は、同一の呼び出しエリアへの滞在時間の長いことが検出され、現在の呼び出しエリアの情報を除いて他の呼び出しエリアの情報を削除するので、呼び出しエリア管理情報１１２ａの必要のない呼び出しエリアへ無線端末装置ＰＳの情報が保持される時間を短くすることができる。
【００４５】
以上のように、無線端末装置ＰＳが呼び出しエリア情報を複数保持する場合に、無線端末装置ＰＳが呼び出しエリア履歴情報１２ｂを参照して呼び出しエリア情報１２ａに保持している複数の呼び出しエリアの情報を削除するタイミングを自律的に判断することによって、必要のない呼び出しによるネットワークの負荷をさらに減少させることができる。
【００４６】
なお、実施例１および実施例２では、無線端末装置ＰＳが保持する呼び出しエリア情報１２ａ、および無線基地局制御装置１が管理する呼び出しエリア管理テーブルへの無線端末装置ＰＳの登録数が、２つの場合についてのみ説明したが、３つ以上であってもよい。その場合は、呼び出しエリア情報１２ａに保持している複数の呼び出しエリアの情報を削除するタイミングを決定するために、無線端末装置ＰＳの呼び出しエリア履歴情報１２ｂを参照することによって決定することが可能である。例えば、呼び出しエリア履歴情報１２ｂの呼び出しエリアを変更した時間間隔や頻度、どの呼び出しエリアに変更したかなどを参照して決定するようにできる。
【００４７】
なお、本発明は、以上の構成に限定されるものではなく、種々の変形が可能である。
【図面の簡単な説明】
【００４８】
【図１】本発明の第一の実施の形態に係る移動通信システムの図。
【図２】本発明の第一の実施の形態に係る無線端末装置の構成機能ブロック図。
【図３】本発明の第一の実施の形態に係る無線端末装置が保持する呼び出しエリア情報のテーブル。
【図４】本発明の第一の実施の形態に係る無線基地局制御装置の構成機能ブロック図。
【図５】本発明の第一の実施の形態に係る無線基地局制御装置が保持する呼び出しエリア管理情報のテーブル。
【図６】本発明の第一の実施の形態に係る移動通信システムのシーケンス図。
【図７】本発明の第一の実施の形態に係る無線端末装置の処理を示すフローチャート。
【図８】本発明の第二の実施の形態に係る無線端末装置の構成機能ブロック図。
【図９】本発明の第二の実施の形態に係る無線端末装置の処理を示すフローチャート。
【図１０】本発明の第二の実施の形態に係る無線端末装置が保持する呼び出しエリア履歴情報のテーブル。
【符号の説明】
【００４９】
ＰＡ、ＰＡ１、ＰＡ２、ＰＡ３、ＰＡ４、ＰＡｎ…呼び出しエリア、ＰＳ、ＰＳ１、ＰＳ２、ＰＳ３、ＰＳ４、ＰＳｍ、ＰＳｎ…無線端末装置、ＣＳ、ＣＳ１、ＣＳ２、ＣＳ１１、ＣＳ１２、ＣＳ１３、ＣＳ２１、ＣＳ２２、ＣＳ２３…無線基地局装置、１…無線基地局制御装置、２…通信網、１０、１１０…インターフェース部、１０ａ…呼び出しエリア検出部、１１０ａ…呼び出しエリア情報検出部、１１、１１１…ＣＰＵ、１１ａ…照合部、１１１ａ…呼び出しエリア管理情報変更部、１１ｂ…呼び出しエリア変更要求部、１１ｃ…タイマ、１１ｄ…追加部、１１ｅ…削除部、１２、１１２…メモリ、１２ａ…呼び出しエリア情報、１１２ａ…呼び出しエリア管理情報、１２ｂ…呼び出しエリア履歴情報 
【図１】
0005010440.tif 000002
【図２】
0005010440.tif 000003
【図３】
0005010440.tif 000004
【図４】
0005010440.tif 000005
【図５】
0005010440.tif 000006
【図６】
0005010440.tif 000007
【図７】
0005010440.tif 000008
【図８】
0005010440.tif 000009
【図９】
0005010440.tif 000010
【図１０】
0005010440.tif 000011